(57)【要約】【課題】  就寝時の監視状態への自動設定しあるいは朝起きたときの監視状態の解除を自動的に行うことができる警報システムを提供することにある。【解決手段】  この発明は、家人が家屋に在宅状態にあるときに設定される、発生した検出信号に対しては通報をしない非通報モードと、家人が就寝状態にあるときに検出信号に応じて通報をする通報モードとを有し、非通報モードと通報モードとが選択可能であって、非通報モードと通報モードのいずれか一方からいずれか他方が選択されたときに翌日の同様な時間帯に当たる所定時間経過後に切換前のいずれか一方のモードにあるときにいずれか他方のモードに切換えあるいはいずれか他方のモードへの切換メッセージを発生するものである。【選択図】  図２Ａ
2008250372.tif 000002
【特許請求の範囲】
【請求項１】
家屋内に設置された対人センサあるいは窓，ドア等の開検出センサの検出信号により侵入者を検出してその検出信号に応じて登録されている所定の人に回線を介して通報する警報システムにおいて、
家人が前記家屋に在宅状態にあるときに設定される、発生した前記検出信号に対しては前記通報をしない非通報モードと、前記家人が就寝状態にあるときに前記検出信号に応じて前記通報をする通報モードとを有し、
前記非通報モードと前記通報モードとが選択可能であって、
前記非通報モードと前記通報モードのいずれか一方からいずれか他方が選択されたときに翌日の同様な時間帯に当たる前記所定時間経過後に切換前の前記いずれか一方のモードが選択されているときに前記いずれか他方のモードに切換えあるいは前記いずれか他方のモードへの切換メッセージを発生する警報システム。
【請求項２】
所定時間をカウントするタイマを有し、前記所定時間は翌日の同時刻の前後１時間を含む範囲の時刻であって、前記いずれか他方は前記非通報モードであり、前記いずれか他方が選択されたときあるいは切り換えられたときから前記タイマをスタートさせて前記所定の時間になったときに前記通報モードが選択されているときに前記非通報モードに切換えあるいは前記切換メッセージを発生し、前記対人センサが設けられているときには切換え前の前記対人センサから検出信号は無効とされる請求項１記載の警報システム。
【請求項３】
所定時間をカウントするタイマを有し、前記所定時間は翌日の同時刻の前後１時間を含む範囲の時刻であって、前記いずれか他方は前記通報モードであり、前記いずれか他方が選択されたときあるいは切り換えられたときから前記タイマをスタートさせて前記所定の時間になったときに前記非通報モードが選択されているときに前記通報モードに切換えあるいは前記切換メッセージを発生し、前記対人センサが設けられているときには切換え後の前記対人センサから検出信号は無効とされる請求項１記載の警報システム。
【請求項４】
前記切換メッセージの発生は、前記所定時間の経過終了手前において行われ、前記切換メッセージの発生から前記所定時間のカント終了までの間に前記所定時間経過後の切換えを前記所定時間経過後の他の所定時間後にずらせるための時間入力処理が設けられている請求項２または３記載の警報システム。
【請求項５】
家屋内に設置され人あるいはペットの存在を感知して検出信号を発生する対人センサとドアと窓が開かれるときに検出信号を発生する開検出センサとによりそれぞれに侵入者を検出してそれぞれの前記検出信号に応じて登録されている所定の人に回線を介して通報する警報システムにおいて、
前記ペットが飼われていないときには家人が、前記ペットが飼われているときには前記家人あるいは前記ペットが前記家屋に在宅状態にあるときに設定される、発生した前記対人センサの検出信号に対しては前記通報をしない非通報モードと、前記対人センサの検出信号を無効として前記開検出センサの検出信号に応じて前記通報をする、前記家人が就寝状態にあるときに設定される通報モードとを有し、
前記非通報モードと、前記通報モードとが選択可能であって、
前記通報モードから前記非通報モードが選択されたときから翌日の同様な時間帯に当たる第１の所定時間経過後に前記通報モードが選択されているときには切換メッセージを発生しあるいは前記対人センサの検出信号に応じて通報することなく前記非通報モードに切換え、
あるいは逆に前記非通報モードから前記通報モードが選択されたときから翌日の同様な時間帯に当たる第１の所定時間経過後若しくは第２の所定時間後に前記非通報モードが選択されているときには切換メッセージを発生しあるいは前記対人センサの検出信号に応じて通報することなく前記通報モードに切換える警報システム。
【請求項６】
前記通報モードから前記非通報モードが選択されたときから翌日の同様な時間帯に当たる第１の所定時間経過後に前記通報モードが選択されているときには切換メッセージを発生しあるいは前記対人センサの検出信号に応じて通報することなく前記非通報モードに切換え、かつ、前記非通報モードから前記通報モードが選択されたときから翌日の同様な時間帯に当たる第１の所定時間経過後若しくは第２の所定時間後に前記非通報モードが選択されているときには切換メッセージを発生しあるいは前記対人センサの検出信号に応じて通報することなく前記通報モードに切換える請求項５記載の警報システム。
【請求項７】
さらに、第１および第２のタイマを有し、前記非通報モードが選択されているときの前記通報モードへの切換えは、前記通報モードが選択されたときに前記第１のタイマにより前記第１の所定時間のカウントを開始することにより行われ、前記通報モードが選択されているときにの前記非通報モードへの切換えは、前記非通報モードが選択されたときに前記第２のタイマにより前記第１あるいは前記第２の所定時間のカウントを開始することにより行われ、前記第１のタイマのカウント値が所定の範囲にあるときには前記通報モードが選択されても前記第１のタイマのカウントが維持されかつ前記第２のタイマのカウント値が前記所定の範囲あるいは他の所定範囲にあるときには前記非通報モードが選択されても前記第２のタイマのカウントが維持される請求項６記載の警報システム。
【請求項８】
さらに、前記非通報モードから前記通報モードへの切換あるいはその逆の切換は、前記メッセージを発生した後に前記対人センサの検出信号に応じて通報することなく切換える請求項５または６記載の警報システム。
【請求項９】
さらに、前記非通報モードのときに前記対人センサの検出信号発生ごとに前記タイマの時間カウント値をリセットしてカウントを開始する請求項５記載の警報システム。
【請求項１０】
さらに前記通報モードを第１とし、前記対人センサおよび前記開検出センサの各前記検出信号のそれぞれに応じて前記通報をする前記家人が留守にするときに設定される第２の通報モードを有する請求項５記載の警報システム。
【請求項１１】
家屋内に設置された対人センサあるいは窓，ドア等の開検出センサの検出信号により侵入者を検出してその検出信号に応じて登録されている所定の人に回線を介して通報する警報システムにおいて、
所定時間をカウントするタイマと、家人が前記家屋に在宅状態にあるときに設定される、発生した前記検出信号に対しては前記通報をしない非通報モードと、前記家人が留守にするときあるいは就寝するときに設定される、前記検出信号に応じて前記通報をする通報モードとを有し、
前記非通報モードと前記通報モードとが選択可能であって、
前記通報モードが選択されたときに前記タイマにより時間カウントを開始してそのカウント値が前記所定時間を超えたときに前記所定の人に通報する警報システム。
【請求項１２】
一定時間内に発生する対人センサの検出信号の個数により検出対象が人であることを検出する請求項５〜７のずれか１項記載の警報システム。
【請求項１３】
家屋内に設置された対人センサにより侵入者を検出してその検出信号に応じて登録されている所定の人に回線を介して通報する警報システムにおいて、
所定時間をカウントするタイマと、家人が前記家屋に在宅状態にあるときに設定される、発生した前記検出信号に対しては前記通報をしない非通報モードと、前記家人が留守にするときあるいは就寝するときに設定される、前記検出信号に応じて前記通報をする通報モードとを有し、
前記非通報モードと前記通報モードとが選択可能であって、
前記非通報モードが選択されたときに前記検出信号発生ごとに前記タイマのカウント値をリセットして時間カウントをしてそのカウント値が前記所定時間を超えたときに前記所定の人に通報する警報システム。
【発明の詳細な説明】
【技術分野】
【０００１】
この発明は、警報システムに関し、詳しくは、屋内に対人センサを設置してその検出信号によりあるいは窓，ドア等の開検出センサの検出信号により、留守および就寝状態のときに侵入者を検出して通報する警報システムにおいて、就寝時の監視状態への自動設定あるいは切換メッセージ発生をし、そして朝起きたときの監視状態の解除を自動的に行いあるいは切換メッセージ発生をすることができ、さらには在宅者が朝、起き上がれないよう異常が発生したときにも自動通報ができるような警報システムに関する。
【背景技術】
【０００２】
従来の対人センサによる警報システムにあっては、玄関等に設置され、在宅、留守の切換スイッチにより留守中に対人センサを動作させて監視に入るものがある。
より高度な監視システムとして、玄関のみならず、ドア，窓等に開閉検出センサ（以下ドア開検出センサ）を配置して家屋全体の出入り口を監視対象として各センサからの信号をコントローラで受けて集中管理をするシステムがある。
このようなシステムではコントローラから回線を通してホストコンピュータ等に監視情報を転送するものが多い。この種の監視システムは、大きなシステムであり、監視する人がセンタに配置され、異常時に監視対象となった家屋に人が派遣される。
これらとは別に、一般家庭用の安価な警報システムとして、防犯警報ブザーなどがある。これは、扉あるいは窓などに両面接着テープで固定する磁石付きスイッチなどを介して扉あるいは窓が開放されたときにブザーを駆動する簡易な警報システムである。
このような従来の警報システムの１つとして、屋内に対人センサを設置してこれにより侵入者を検出して、登録されている所定の人に通報する警報システムが公知である（特許文献１）。
【特許文献１】特開２００５−２２２５０５号公報
【発明の開示】
【発明が解決しようとする課題】
【０００３】
屋内に対人センサを設置するこの種の警報システムでは、対人センサがペットに反応して検出信号を発生すること等の問題からペットが飼われている場合には留守時も含めて常時対人センサの検出信号が無効され、そうでない場合でも就寝した後の深夜のトイレ通いの人に反応して通報されてしまう問題があることから就寝時には対人センサの検出信号が無効される。そのため、ペットを飼わない家でも対人センサが活用されるのが留守のときに限られる。
最近では、老人の孤独死が問題となり、また、一人暮らしの人が増加してきている。そこで、冷蔵庫のドアの開け閉めや電気ポットの使用に応じて一人暮らしの老人の生活が正常な状態にあるか否かを知る監視システムがある。このような監視システムでは、監視状態の設定や解除が必要とされない利点はあるが、コンピュータなどによるシステム管理が必要な大きなシステムとなり、誤報の場合などが発生した場合に即座に確認できるシステムとはなってない。
【０００４】
特許文献１を含めて、通常の警報システムでは、就寝時の監視状態への設定、そして朝起きたときの監視状態の解除が手動で行われるのが現状である。そのため、朝起きたときに監視解除を忘れて無用な通報がなされてしまったり、就寝時に監視状態への設定を忘れて監視状態にならなかったりする問題がある。
しかも、特許文献１のような警報システムでは監視状態の設定や解除が面倒となり、老人には扱い難く、留守のときにしか使用されないような場合も出てくる。
しかし、特許文献１のような警報システムの利点は、電話装置を内蔵して登録されている所定の人に回線を介して通報することができるので、フリーハンズで双方向通話がいつでも可能となることにある。そこで、独り暮らしの安否を確認することが容易である。
しかし、在宅者、特に一人暮らしの老人が朝起き上がれないよう異常が発生したときに確実に通報できるようなシステムにはなっていない。従来のこの種の警報システムは、監視解除の状態のまま放置された場合には緊急通報スイッチを押さない限り、通報ができないからである。
この発明の目的は、このような従来技術の問題を解決するものであって、就寝時の監視状態への自動切換を可能にしあるいは朝起きたときの監視状態の解除を自動的に行うことができる警報システムを提供することにある。
この発明の他の目的は、切換忘れを防止するために就寝時の監視状態への切換メッセージ発生をしあるいは朝起きたときの監視状態の解除のための切換メッセージ発生を行うことができる警報システムを提供することにある。
この発明のさらに他の目的は、在宅者が朝、起き上がれないよう異常が発生したときにも自動通報が可能な警報システムを提供することにある。
【課題を解決するための手段】
【０００５】
このような目的を達成するための第１の発明は、家屋内に設置された対人センサ（例えば、焦電センサあるいは赤外線センサ）あるいは窓，ドア等の開検出センサの検出信号により侵入者を検出してその検出信号に応じて登録されている所定の人に回線を介して通報する警報システムにおいて、
家人が家屋に在宅状態にあるときに設定される、発生した検出信号に対しては通報をしない非通報モードと、家人が就寝状態にあるときに検出信号に応じて通報をする通報モードとを有し、
非通報モードと通報モードとが選択可能であって、
非通報モードと通報モードのいずれか一方からいずれか他方が選択されたときに翌日の同様な時間帯に当たる所定時間経過後に切換前のいずれか一方のモードにあるときにいずれか他方のモードに切換えあるいはいずれか他方のモードへの切換メッセージを発生するものである。
【０００６】
また、第２の発明は、第１の発明を対人センサと、ドアと窓が開かれるときに検出信号を発生する開検出センサとを設けて警報システムに適用したものであって、ペットが飼われていないときには家人が、ペットが飼われているときには家人あるいはペットが家屋に在宅状態にあるときに設定される、発生した対人センサの検出信号に対しては通報をしない非通報モードと、対人センサの検出信号を無効として開検出センサの検出信号に応じて通報をする、家人が就寝状態にあるときに設定される通報モードとを有し、非通報モードと、通報モードとが選択可能であって、
通報モードから非通報モードが選択されたときから翌日の同様な時間帯に当たる所定時間経過後に通報モードが選択されているときには切換メッセージを発生しあるいは対人センサの検出信号に応じて通報することなく非通報モードに切換えあるいは逆に非通報モードから通報モードが選択されたときから翌日の同様な時間帯に当たる第１の所定時間経過後若しくは第２の所定時間後に非通報モードが選択されているときには切換メッセージを発生しあるいは対人センサの検出信号に応じて通報することなく通報モードに切換えるものである。
【０００７】
さらに第３の発明は、所定時間をカウントするタイマと、家人が前記家屋に在宅状態にあるときに設定される、発生した検出信号に対しては通報をしない非通報モードと、家人が留守にするときあるいは就寝するときに設定される、検出信号に応じて通報をする通報モードとを有し、通報モードが選択されたときに前記タイマにより時間カウントを開始してそのカウント値が前記所定時間を超えたときに前記所定の人に通報するものである。
さらに第４の発明は、非通報モードにおいて、対人センサの検出信号発生ごとにタイマのカウント値をリセットして時間カウントをしてそのカウント値が所定時間を超えたときに所定の人に通報するものである。
【発明の効果】
【０００８】
第１の発明にあっては、非通報モード（在宅モード）と通報モード（就寝モード）のいずれか一方からいずれか他方が選択されたときに翌日の同様な時間帯に当たる所定時間経過後に昨日と同様に切換前のモードから切換えるべきモードに自動的に切換えられる。あるいはメッセージを発生に応じて人が手動で、あるいは対人センサの検出信号に応じて自動的に切換えることができる。
この場合、通報モード（就寝モード）から非通報モード（在宅モード）へ切換を自動的に戻すときにはたとえ対人センサの検出信号があってもそのときの通報は抑止される。
これにより切換え忘れを防止することができる。特に、メッセージを発生するときには人が手動で切換える前に対人センサの検出信号に応じて自動的に一方のモードから他方のモードに自動切換えするようにするとよい。
通報モード（就寝モード）から非通報モード（在宅モード）が選択されたときから２３時間〜２４時間の範囲の翌日の同様な時間帯に当たる所定時間経過後あるいは非通報モード（在宅モード）に切換られるべき、翌日の同様な時間帯に当たる所定の時刻になったときに切換前の通報モード（就寝モード）にあるときには非通報モード（在宅モード）への切換えのメッセージを発生した後にさらに対人センサの検出信号に応じて、通報することなく非通報モード（在宅モード）に自動的に切換えることができる。
所定時間を２４時間とすれば、非通報モード（在宅モード）から通報モード（就寝モード）が選択されたときには翌日の同じ時刻に非通報モード（在宅モード）から通報モード（就寝モード）に自動切換を行うことができる。対人センサの検出信号に応じて自動的に切換える場合には、所定時間を２３時間程度として１時間程度手前から対人センサの検出信号を受けて切り換えられる態勢を採るとよい。
なお、対人センサの検出信号に応じての自動切換の場合にはペットを飼っている家庭にはそれなりの対策が必要である（後述）。それはペットに対人センサが反応するからである。
【０００９】
第２の発明にあっては、非通報モード（在宅モード）が選択されているときには切換メッセージを発生しあるいは対人センサの検出信号に応じて自動的に通報モード（就寝モード）に切換えることができる。あるいは、通報モード（就寝モード）が選択されているときには切換メッセージを発生しあるいは対人センサの検出信号に応じて自動的に非通報モード（在宅モード）に切換えることができる。
第３の発明にあっては、非通報モードから通報モードが選択されたときにこの選択されたときからタイマの時間カウントを開始してそのカウント値が所定時間を超えたときに所定の人に通報するもので、例えば、この所定時間を就寝モードを選択してから１０時間後とすれば、１０時間経っても朝起きられないときには通報が行われる。
なお、このタイマは在宅モードに切換られたときにカウント動作が解除されるので、これによる通報条件も解除される。この解除は、次に説明する実施例では第１のタイマに対してそのカウント値を監視時間として設定することで行われる。
【００１０】
第４の発明にあっては、少なくとも、本来侵入者の監視をしない非通報モードにおいて発生する対人センサの検出信号を利用して、その各検出信号発生ごとにタイマのカウント値をリセットして時間カウントしてそのカウント値が第１の所定時間を超えたときに特定の人に通報するものである。これにより、例えば、在宅モードの切換てから６時間の監視を開始して６時間以上の間、人が検出されないような生活状況が発生した場合に異常事態として通報される。
【００１１】
老人などでは在宅モードと就寝モードとの切換え忘れが発生するが、第１の発明あるいは第２の発明にあっては、タイマ監視により、在宅モードから就寝モードへあるいはその逆の自動切替え、あるいは対人センサによる自動切換えができるので切換え忘れが発生しないで済む。自動切換の生活状況にないときには自動切換に変えて切換メッセージを発生して手動に切換えにすれば切換忘れの防止ができる。
また、共働きの奥様などは、特に、朝起きての就寝モードと在宅モードとの切換えが面倒となり、ときには切換忘れが発生するが、前記のメッセージ出力による手動切換か、後者の対人センサの検出信号による自動切換が有効なものになる。
また、第３の発明のタイマ監視により、在宅者が朝、起き上がれないよう異常が発生したときには自動通報が可能になる。また、第４の発明のタイマ監視により、在宅中に倒れたときなどの異常事態にも自動通報が可能になる。
その結果、就寝時の監視状態への設定、そして朝起きたときの監視状態の解除を自動的に行うことができ、さらには在宅者が朝、起き上がれないよう異常が発生したときにも自動通報が可能となって、日常の在宅活動ができる警報システムを実現することができる。
【発明を実施するための最良の形態】
【００１２】
図１は、この発明の警報システムを適用した一実施例のモード切換自動通報システムを有する警報システムのブロック図、図２Ａは、監視タイマ設定処理の全体的な処理のフローチャート、図２Ｂは、監視タイマ設定処理の留守モードと就寝モードのフローチャート、図３は、通報処理のフローチャート、そして図４は、時間修正値入力処理のフローチャートである。
図１において、１０は警報システムであって、その入出力機器として、１は対人センサ（例えば、焦電センサあるいは反射型赤外線センサ）、２ａ，２ｂ，２ｃ…は、玄関ドア、窓等のドア開検出センサ等であって、センサ信号入力端子２，ホトカップラ４を介してプロセッサ２０に論理和条件で検出信号が入力される。センサ信号入力端子３は、留守モードを解除して在宅モードに戻す玄関スイッチ２ｄの入力端子であり、同様にホトカップラ４を介してプロセッサ２０に入力される。玄関スイッチ２ｄは、留守モードから在宅モードへと戻す監視解除スイッチである。
５はモード選択スイッチ、５ａは在宅モードの選択表示のＬＥＤ表示素子、５ｂは留守モードの選択表示のＬＥＤ表示素子、５ｃは就寝モードの選択表示のＬＥＤ表示素子、６は緊急通報スイッチ、７ａはマイクロホン、７ｂはスピーカ、８は、ペットスイッチ（対人センサ無効スイッチ）、そして９は、タイマ監視設定スイッチである。また、１７は各種の時間設定スイッチ、１８は仕様変更スイッチである。
これら入出力端子および入出力端子に接続された対人センサ１等のスイッチ、ＬＥＤ表示素子５ａ〜５ｃ等の素子、その他のセンサ等はバッファアンプを介してプロセッサ（データ処理装置）２０に接続されている。
ところで、ここでの対人センサ１は、多面ミラーを介して人体が発生する赤外線を赤外線センサで受けて、赤外線センサで得られる検出信号を増幅器で増幅し、フィルタ処理をして人の動きに対応する周波数範囲、例えば、０．１Ｈｚ〜１０Ｈｚ程度の低周波領域の信号を取出し、この信号をコンパレータにより所定の閾値と比較して閾値を越えた信号を検出信号として得るものである。
【００１３】
１１は、電話装置であり、ブリッジ回路１１ａとダイヤラ／送・受話回路１１ｂ、そして着信信号検出回路１１ｃとからなる。
ブリッジ回路１１ａは、電話回線のラインＬ1，Ｌ2に接続され、電話回線の極性反転（電話をかける時相手に接続される際、通常起こる状態）が発生しても、常に一定の極性の電源を電話装置１１の回路に供給するための回路である。電話装置１１は、内部の送・受話回路１１ｄにより、電話回線から受けた音声信号が増幅回路１９を介してスピーカ７ｂに送られるとともにマイクロホン７ａから受けた音声信号を電話回線へ送信してハンズフリーの通話を可能にする。また、他の電話機に電話するときは、ダイヤラ／送・受話回路１１内部のダイヤラ１１ｅがプロセッサ２０からのダイアルデータを受けてこれに応じてダイヤル信号を発生し、電話回線に出力する。
【００１４】
１２は外部メモリ、１３はＤ／Ａ変換回路（Ｄ／Ａ）、１４は切換回路である。これら外部メモリ１２と、Ｄ／Ａ１３、切換回路１４、電話装置１１、そしてプロセッサ２０とは外部バス１５を介して相互に接続されている。
切換回路１４は、通常は、送・受話回路１１ｄ側に増幅器１６を接続していて、装置全体をハンズフリーの電話機となるように設定ている。そして、緊急通報スイッチ６が単独で押下されたときには、プロセッサ２０がダイアルデータ領域２２ｍを参照して登録された人の電話番号を読み出して電話をかけて通話できる状態にする。また、切換回路１４は、プロセッサ２０からの切換制御信号Ｓに応じてＤ／Ａ１３側に切換えられ、警報システム側の音声制御に切換え、それにより外部メモリ１２から読み出される音データに応じてスピーカ７ｂから合成音声を発生させる。
プロセッサ２０は、ＭＰＵ２１とメモリ２２と入出力レジスタ２３等からなり、これらが内部バス２４により相互に接続されている。
入出力レジスタ２３は、入出力のステータスを示すレジスタであって、各種センサ信号の検出信号を受けてフラグビット“１”が、受けた検出信号に対応する記憶位置にセットされ、ＭＰＵ２１に対して緊急割込み信号を発生する。所定の処理が実行された時点で各フラグビット“１”はリセットされる。それがＭＰＵ２１により定期的に参照される。さらにペットスイッチ８、そしてタイマ監視設定スイッチ９がそれぞれＯＮされたときにそれぞれに対応する記憶位置にフラグ“１”が立つことでそれが記憶される。各種センサ信号の検出信号のフラグビット“１”は、監視体制に入った初期状態あるいはモード切換が行われたタイミング等でリセットされる。
メモリ２２には、モード対応タイマ設定プログラム２２ａ、在宅監視モードプログラム２２ｂ、留守監視モードプログラム２２ｃ、就寝監視モードプログラム２２ｄ、タイマ監視・モード切換プログラム２２ｅ、監視時間修正プログラム２２ｆ、通報処理プログラム２２ｇ等が格納されいる。
【００１５】
さらに、第１ソフトタイマのカウンタ領域２２ｈ、第２ソフトタイマのカウンタ領域２２ｉ、第３ソフトタイマのカウンタ領域２２ｊ、第４ソフトタイマのカウンタ領域２２ｋ、ダイアルデータ領域２２ｍ、そしてパラメータ領域２２ｎ等が設けられている。
第１ソフトタイマのカウンタ領域２２ｈ〜第４ソフトタイマのカウンタ領域２２ｋは、それぞれ第１ソフトタイマ〜第４ソフトタイマがセットされたときの監視時間監が各領域に記憶されることで設定され、その時間がカウントダウンされてカウントダウン値が同じ領域に記憶される。
また、外部メモリ１２には、各種の音声データが格納され、そのうち在宅モード確認音声１２ａとして「在宅です」、留守モード確認音声１２ｂとして「留守です」、そしてお休み確認音声１２ｃとして、「就寝です」、さらに「◎◎モードに切換てくささい」，入力された時間の確認のために「＋６０分の入力です」，「−９０分の入力です」等が設けられている。
【００１６】
さて、モード対応タイマ設定プログラム２２ａは、モード選択スイッチ５の切換操作に応じてあるいは時間入力等のために監視時間修正プログラム２２ｆがコールされて実行されたときにコールされ、時間入力のときには特定のステップ（図２Ａのステップ１０５）から実行され、ソフトタイマの時間設定と選択されたモードに対応するモードフラグの設定をする。
すなわち、このプログラムをＭＰＵ２１が実行して、第１〜第４のソフトタイマをそれぞれ選択されたモードに応じて選択的に起動して所定の時間のカウントを開始し、さらに選択されたモードに対応するモードフラグ“０”（留守モード），“１”（留守モード），“２”（在宅モード）のいずれかをパラメータ領域２２ｎに現在の選択モードとしてセットする。
このプログラムでセットされる第１ソフトタイマは、正常な生活をしているか否かを監視するための時間監視タイマとなり、在宅モード，留守モード，就寝モード等の他のモードが切換られたときに新しく対応するモードのカウント値がセットされて、そのカウントがスタートする。
第２のソフトタイマから第４のソフトタイマは、それぞれ自動的なモード切換のために設けられた時間カウントタイマであり、第２のソフトタイマと第３のソフトタイマとは、実質的に１日経過後に再び元のモードに戻す切換をするためのタイマである。
なお、各ソフトタイマのカウントが終了したときにはカウント終了割込みが発生するとともにカウント終了を示すフラグがメモリの所定の領域に立ち、次のカウント開始時点でそのフラグはリセットされる。
以下各ソフトタイマの機能について説明する。
(1) 第１ソフトタイマについて、
在宅モードが選択されているときには第１ソフトタイマは、第１の所定時間として、例えば、カウント時間が６時間に設定される。そして時間カウントを開始し、６時間を越える期間の間一度も対人センサ１による人の検出がないときに通報することで、在宅状態にある人の異常を監視する。
留守モードが選択されているときには第１ソフトタイマは、第１の所定時間として、例えば、第１ソフトタイマのカウント値を１８時間に設定する。そして時間カウントを開始し、１８時間経っても帰宅しないときに通報する。
なお、留守のときの通報先を携帯電話等の本人に設定すると第１ソフトタイマの監視は、帰宅コールとなる。就寝モードのときにはモーニングコールになる。
就寝モードが選択されているときには、第１の所定時間として、例えば、第１ソフトタイマのカウント値を１０時間に設定する。そして時間カウントを開始し、１０時間経っても朝起きてこないときに通報することで、就寝状態の異常を監視する。
【００１７】
(2) 第２ソフトタイマについて、
第２ソフトタイマは、就寝モードから在宅モードへ戻す自動切換のタイマである。
就寝モードから在宅モードへの切換えのときには第２ソフトタイマは、第２ソフトタイマのカウンタ領域２２ｉに第２の所定時間、例えば、２３時間を設定して就寝モードから在宅モードへの切換で時間カウントを開始する。２３時間経過後に就寝モードにあるときに在宅のモードへの切換えのメッセージを発生した後に対人センサ１の検出信号に応じて登録した人に通報することなく在宅モードに切換える。この切換えに応じて再び第２ソフトタイマのカウンタ領域２２ｉに２３時間が設定されて再び時間カウントを開始する。就寝モードから在宅モードへの切換に応じてこの動作を繰り返す。
そこで、手動で就寝モードから在宅モードへの切換えたときには、その時刻が次の切換基準時刻になり、以下、手動切換がない限り、前日の切換時刻での切換動作が繰り返される。
ここで、第２のソフトタイマの監視時間を２３時間としたのは前の日より１時間程度早く起きることがあるからである。また、内部に２４時間計測の時計機構を設けたときにはこれの時刻を参照して、例えば、午前７時３０分というように設定された特定の時刻の後に対人センサ１の検出信号に応じて在宅モードへの切換を喚起するようにメッセージを出力してもよい。
なお、ペットが飼われているときには後述する場合を除いては自動切換えではなく、メッセージに応じた対人センサ１の検出信号によりあるいは手動による切換とするとよい。
また、第２の所定時間は、時間単位で翌日の同時刻の前後１時間を含む範囲の時刻（ただし生活上から５分程度の許容差があっても問題はない）である。言い換えれば、第２の所定時間は、２３時間から２５時間の範囲で選択することができる。
【００１８】
(3) 第３ソフトタイマについて、
第３ソフトタイマは、逆に在宅モードから就寝モードへ戻す自動切換のタイマである。
在宅モードから就寝モードへの切換えのときには第３ソフトタイマは、第３ソフトタイマのカウンタ領域２２ｊに第３の所定時間、例えば、２４時間を設定して時間カウントを開始する。２４時間経過後に切換メッセージを発して在宅モードにあるときに在宅から就寝モードに自動切換をする。あるいは切換メッセージ後の対人センサ１の検出信号に応じて切換えをする。
第３ソフトタイマの切換時刻設定も第２ソフトタイマの切換時刻設定と同様である。ただし、これは２４時間経過後の同じ時刻の切換になる。その切換時刻変更は、次に手動で在宅モードから就寝モードへの切換えたときになる。
なお、前記したように、内部に２４時間計測の時計機構を設けて、これを参照して、例えば、午後１１時３０分というように設定された特定の時間で就寝モードに切換えるようにしてもよい。
【００１９】
(4) 第４ソフトタイマについて、
第４ソフトタイマは、在宅モードから留守モードへ切換える自動切換のタイマである。
在宅モードから留守モードへの切換えは、切換前に在宅モードから留守モードへ切り換えたときに切換えるまでの時間入力をし、それが第４ソフトタイマにセットされる。
入力された所定の時間は第４ソフトタイマのカウンタ領域２２ｋに設定され、第４のソフトタイマによりカウントされる。例えば、６０分に設定して時間カウントを開始すると、６０分経過後に在宅モードから留守のモードへの切換えのメッセージを発生した後に留守モードに入り、５分程度後実際の留守モードの監視状態に入る。
もちろん、このときの留守のモードへの切換えを解除したければ、切換えのメッセージを発生した後に３分程度の間に留守のモードから在宅モードに手動で戻せばよい。その後は、手動での留守のモードへの切換となる。
ところで、第１ソフトタイマから第４ソフトタイマの時間カウントは、ここでは３分ごとにカウント値を更新する。したがって、これらタイマは、３分／１カウントの分解能の時間カウンタになっている。これにより、２４時間のカウント値は４８０で済む。そこで、２４時間の経過の判定は、実際は２４時間の３分以内に入ったかを判定するものとし、３分以内に入ったときにカウント終了とする。
すなわち、４８０をカウントダウンして、カウントダウンが終了したか否かは、カウント値が１か、それ以下になったときにカウントが終了したものとする。そして、実際のモード切換は３分後に行う。したがって、ここでのカウント終了時間は、設定時間の３分前の時間である。このことは他の設定時間についても同様である。この残りの３分は後述する時間入力に割当てられ、前日と対応する時刻に合わされる。
【００２０】
(5) モード切換時刻の変更
次の実施例では、第４ソフトタイマを利用して、在宅モードから留守モードへの自動切換えのために時間入力をしている。この時間入力を第２ソフトタイマ、第３ソフトタイマのカント時間の一時的なカウント時間修正に利用する。この修正により切換時間をずらせるモード切換時刻の変更が可能になる。そこで、次の実施例では、第４ソフトタイマに対する時間設定とこのモード切換時刻の変更をＭＰＵ２１が監視時間修正プログラム２２ｆを実行して時間変数Ｍ2に時間入力をすることで実現している。
すなわち、実施例のモード切換時刻の変更は、各タイマのカウント終了３分前に切換メッセージを発生し、その発生後の３分間の時間カウント終了までの間の時間入力で行うことで行われる。これにより、モード切換えをタイマカウント終了からさらに所定時間後に一時的に変更する。なお、ここでの時間は、３分に限定されない。例えば、５分であってもよい。
時間値の入力は、１５分単位でスイッチを押す回数で決定され、設定された時間が加減算される。時間値の入力は、モード選択スイッチ５と緊急通報スイッチ６とが同時に３秒以上押された状態で入力された時間が変数値Ｍ2に設定される。モード選択スイッチ５側を押す回数で１回ごとに１５分単位で入力時間が加算され、緊急スイッチ６を押す回数で１回ごとに１５分単位で入力時間が減算される。その結果が変数値Ｍ2に代入される。
時間入力の終了は、モード選択スイッチ５と緊急通報スイッチ６とを再び同時に押すことであるいは１０秒程度の一定時間の間入力がないことで判定される。この処理は、ＭＰＵ２１が監視時間修正プログラム２２ｆを実行することで行われる。
【００２１】
(6) 異常な状態での在宅モードと就寝モードとの間の自動切換え禁止
第２ソフトタイマ、第３ソフトタイマによる切換時間は、１日分相当の所定時間をカウントすることで、手動で設定した切換時刻が翌日の切換時刻として記憶されて翌日に同じ時刻あるいは前後１時間以内の同様な時間帯でモード切換が実行され、それが継続ずる。
在宅モードから就寝モードへの自動切換あるいはその逆の自動切換を早めるときにはモード切換時間より早めに手動で切換ればよい。逆に遅くするときには切換時間の後に一時的に切換前のモードに戻してから手動で現在のモードに切換を行えばよい。また、あらかじめ時間の変更するときには時間入力によりモード切換時間の一時的な変更を行うことができる。それにより、モード切換時間の時刻を一時的に遅くしてから遅くなったところで手動切換をすれば切換時間を現在の基準切換時間を遅くすることができる。手動切換した時刻は、以降の切換時刻の基準となる。
しかし、このような手動切換を次の日以降に基準切換時刻に採用すると、例えば、４時間しか寝ないで在宅モードへの手動切換が行われたり、午後５から就寝に入るような特別な事情のときもある。このようなときには翌日の就寝モードから在宅モードへの自動的な切換あるいはその逆の自動切換がいつもの生活と相違して異常な状態の切換えになってしまう。しかも、第２ソフトタイマと第３ソフトタイマとカウント時間は、相互の切換ごとにカウントが開始されるので、前記のような手動切換えを許容すると、一方の切換時に他方の時間カウントが影響されてしまう。
【００２２】
そのため次の実施例では、このような相手の時間カウントに影響を与えるような場合の手動切換を相手の時間カウントに対して無効になるようにしている。すなわち、指定された時間範囲以外での就寝モードから在宅モード相互間での切換えを相互に無効する。このことで、切換の自由度を確保することができる。それにより、第２ソフトタイマ、第３ソフトタイマのカウント値を相互に影響されることなく保持することができる。
これを実現するために、遅めの時刻切換えに対しては切換てからカウント値が４２０（＝カウント後３時間）以内の在宅モードと就寝モードとの間の手動でのモード切換についてそれぞれに許容し、早めの手動切換に対してはカウント値が６０（＝残り３時間）に入ったモード切換について許容している。それ以外の手動での切換えによる時間設定をそれぞれのモードで無効として、第２，第３の各ソフトタイマに対して新しく時間設定は行わないようにしている。
その結果、第２のタイマのカウント値が所定の範囲にあるときには在宅モードから就寝モードが選択されてもこの選択が無視されて第２のタイマのカウントが維持される。また、第３のタイマのカウント値が前記所定の範囲あるいは他の所定範囲にあるときには就寝モードから在宅モードが選択されてもこの選択が無視されて第３のタイマのカウントが維持される。
したがって、次の実施例では、自動切換時刻の基準の変更は、前記のカウント値が６０〜４２０の範囲では禁止され、切換時刻を中心として前後３時間の範囲の手動切換だけに限定している。なお、切換時間制限は、前後３時間に限らず、前後２時間であっても１時間であってもよい。指定された所定の時間範囲以外での就寝モードから在宅モード相互間での切換えの自由度が確保できるだけの時間であればよい。
【００２３】
さて、モード選択スイッチ５は、在宅モードと留守モードと就寝モードのいずれか１つを選択するもので、プロセッサ２０は、このスイッチが押され、放されたときの立ち上がり信号を受けてモード選択スイッチ５を１回押すごとに、ＬＥＤ表示素子５ａ〜５ｃを順次点灯して選択されるモードを表示する。同時にプロセッサ２０は、通常の処理では、在宅モードが選択されたときには在宅監視モードプログラム２２ｂを、留守モードが選択されたときには留守監視モードプログラム２２ｃを、就寝モードが選択されたときには就寝監視モードプログラム２２ｄを選択してコールし、ＭＰＵ２１に実行させる。
ただし、タイマ監視スイッチ９がＯＮされているときには、モード選択スイッチ５の割込みに応じてモード対応タイマ設定プログラム２２ａがＭＰＵ２１により実行される、図２Ａ，図２Ｂで説明するモード選択に応じて選択モード対応タイマ設定プログラム２２ｅが先に実行されて、在宅監視モードプログラム２２ｂ、留守監視モードプログラム２２ｃ、就寝監視モードプログラム２２ｄがモード選択に応じて実行される。
ここで、在宅監視モードプログラム２２ｂは、モード選択スイッチ５によりあるいはモード切換処理により在宅モード「在宅」が選択されたときにＭＰＵ２１がこのプログラムを実行して対人センサ１あるいはドア開検出センサ２ａ，２ｂ，２ｃ…から検出信号を受けても通報をしないモードとなる。このシステムは、このプログラムの実行により侵入者を監視しない非通報モードになる。
在宅モードが選択されたときにあるいは在宅モードに入ったときには、ＭＰＵ２１はこのプログラムを実行して、切換制御信号Ｓを発生してＤ／Ａ１３の出力を増幅器１６に接続して音声「在宅です」を外部メモリ１２の所定の領域１０ａから読出してスピーカ７ｂから発生する。そして、切換制御信号Ｓを停止して切換を元の状態に戻す。さらに、在宅モードが選択されているときには、ＭＰＵ２１は、このプログラムを実行してドア開検出センサ２ａ，２ｂ，２ｃ…からの検出信号を受けたときには切換制御信号Ｓを発生してＤ／Ａ１３の出力を増幅器１６に接続して玄関あるいはドアが開かれた音「ピンポーン」を外部メモリ１２の所定の領域から読出してスピーカ７ｂから発生して警報を発する処理をする。
【００２４】
留守監視モードプログラム２２ｃは、モード選択スイッチ５によりあるいはモード切換処理により留守モード「留守」が選択されたときにＭＰＵ２１がこのプログラムを実行して対人センサ１あるいはドア開検出センサ２ａ，２ｂ，２ｃ…から検出信号を受けたときに通報処理プログラム２２ｇをコールしてダイアルデータ領域２２ｍからデータを読出して登録されている人に電話をかけて通報する。このシステムは、このプログラムの実行により侵入者を監視して通報する通報モードになる。
留守モードが選択されたときあるいは留守モードに入ったときには、ＭＰＵ２１はこのプログラムを実行して、切換制御信号Ｓを発生してＤ／Ａ１３の出力を増幅器１６に接続して音声「留守です」を外部メモリ１２の所定の領域１０ｂから読出してスピーカ７ｂから発生する。そして、切換制御信号Ｓを停止して切換を元の状態に戻す。さらに、ＭＰＵ２１は、玄関スイッチ２ｄがＯＮにされたときには、在宅監視モードプログラム２２ｂがコールされてＭＰＵ２１により実行され、留守モードから在宅モードへとモード切換の処理をする。
なお、ペットスイッチ８がＯＮとなっているときには、ＭＰＵ２１は、モード選択スイッチ５により「留守」が選択されていても、対人センサ１の検出信号を無効としてこれによる通報動作行わず、ドア開検出センサ２ａ，２ｂ，２ｃ…から検出信号のみに応じた通報動作をするのみとなる。
【００２５】
就寝監視モードプログラム２２ｅは、モード選択スイッチ５によりあるいはモード切換処理により就寝モード「就寝」が選択されたときにＭＰＵ２１がこのプログラムを実行して対人センサ１の検出信号を無効としてこれによる通報動作行わず、ドア開検出センサ２ａ，２ｂ，２ｃ…から検出信号を受けたときに通報処理プログラム２２ｇをコールして登録されている人に電話をかけて通報する。このシステムは、このプログラムの実行により侵入者を監視して通報する通報モードになる。
就寝モードが選択されたときあるいは就寝モードに入ったときには、ＭＰＵ２１はこのプログラムを実行して、切換制御信号Ｓを発生してＤ／Ａ１３の出力を増幅器１６に接続して音声「就寝です」を外部メモリ１２の所定の領域１０ｃから読出してスピーカ７ｂから発生する。そして、切換制御信号Ｓを停止して切換を元の状態に戻す。
このように、留守監視モードプログラム２２ｃと就寝監視モードプログラム２２ｄとは、対人センサ１の検出信号を有効あるいは無効にし、ドア開検出センサ２ａ，２ｂ，２ｃ…からの検出信号に応じて通報し、必要に応じて警報を発生する侵入者監視、通報モードになっている。
通報処理プログラム２２ｇは、タイマ監視・モード切換プログラム２２ｅを実行しているときにコールされてＭＰＵ２１に実行されるとともに、これとは別にドア開検出センサ２ａ，２ｂ，２ｃ…からの検出信号を受けたとき、緊急通報スイッチ６が押されたときにコールされてＭＰＵ２１に実行される。
これがＭＰＵ２１に実行されたときには、、ダイアルデータ領域２２ｍに記憶された予め登録されているダイアルデータを読出してダイヤラ１１ｅに送出して登録されている人に電話をかけて異常状態にあることの通報をする。なお、登録されている人が複数あるときには電話が通じないときには順番に次にある通報処理プログラム２２ｇの実行により他の登録者に電話をかける。
【００２６】
タイマ監視・モード切換プログラム２２ｅは、タイマ監視スイッチ９がＯＮにされているときにＭＰＵ２１がこのプログラムを実行して、在宅モードでは、第１ソフトタイマのカウント終了に応じて通報処理プログラム２２ｇをコールして通報処理をする。第１ソフトタイマのカウント終了に応じて通報処理をすることで、留守モードでは、帰宅コールとして、就寝モードでは、モーニングコールとして利用することができる。  監視時間修正プログラム２２ｆは、図４に示す時間入力処理により、第２ソフトタイマから第４のソフトタイマの設定時間を一時的に変更する処理を行う。
【００２７】
図２Ａは、選択モード対応タイマ設定プログラム２２ｅを基本とするタイマ設定処理のフローチャートである。
なお、選択モード対応タイマ設定プログラム２２ｅは、１つ以前に設定された選択モードを判定するために、ここではフラグを用いる。留守モードをモードフラグ“０”、就寝モードをモードフラグ“１”、そして在宅モードをモードフラグ“２”としてフラグ管理をし、前に設定されたモードを判定する。
選択モード対応タイマ設定プログラム２２ｅは、手動によりモード選択スイッチ５が操作されたときにＭＰＵ２１に実行されて、割込スタートをする。この選択モード対応タイマ設定プログラム２２ｅは、他の処理プログラムより実行順位が低い。
そこで、図２Ａのステップ１０１では、他のプログラムの実行待ちか否かを判定してＹＥＳとなると、「他のプログラムの実行終了か、」の待ちループに入る（ステップ１０２）。
すなわち、このプログラムは、他のプログラムが実行されていない空き時間に実行される。他のプログラムの実行が終了したときあるいは他のプログラムの実行待ちではないときにモード切換完了かの判定を行う（ステップ１０３）。
【００２８】
モード選択スイッチ５は、この実施例では、キーを押すごとに在宅モードから留守モード、そして就寝モード、在宅モードと循環するために、どのモードへを選択するか、循環操作中は分からない。そこで、例えば、３秒程度のループを循環して、３秒後に再判定をして同じモードにあるか否かを判定することで、あるモードが選択されたと判定する。これにより選択されたモードが決定される。
モード選択が完了すると、次のステップ１０４でタイマ監視スイッチ９がＯＮされているか否かの判定をし、ここでＮＯのときには４つのソフトタイマを解除して（ステップ１０４ａ）、初期化処理として時間変数Ｍ2＝０，Ｍ3＝０，Ｍ4＝０、フラグ＝０として各値をリセットして（ステップ１０４ｂ）、通常の処理を行う。
装置の起動初期にはタイマ監視のない状態となるので、前記の初期化処理が行われて各選択モードでの通常の監視処理になる。通常の処理のときには、選択されたモードに応じて在宅監視モードプログラム２２ｂ、留守監視モードプログラム２２ｃ、就寝監視モードプログラム２２ｄのいずれかのプログラムがＭＰＵ２１により実行される。
長期外出などをするときや長時間睡眠を取るときなどにタイマ監視スイッチをＯＦＦにすることで、初期化処理をしてタイマ監視による通報を無効にすることができる。
【００２９】
タイマ監視スイッチ９がＯＮにされていると、ステップ１０４でＹＥＳとなり、次のステップ１０５では、選択されたモードが在宅モードか、留守モードか、就寝モードかのいずれにあるのかをＬＥＤ表示素子５ａ〜５ｃのうちどれが点灯されているかで判定する（ステップ１０５）。ＬＥＤ表示素子５ａ〜５ｃのいずれが点灯しているかは、入出力レジスタ２３のフラグビットを参照することで行われる。
ＬＥＤ表示素子５ａが点灯して在宅モードと判定されたときには、時間変数Ｍ2がＭ2＝０か否かの判定に入る（ステップ１０６）。
時間変数Ｍ2は、図４に示す時間入力処理で設定時間を修正するとき、あるいは留守モードで第４ソフトタイマにカウント時間を設定するときに利用され、時間入力があったときにはＭ2＜＞０となる。Ｍ2＝０のときには切換時間についてのソフトタイマの設定時間の変更はない。
ステップ１０６でＹＥＳとなると、次に前の切換モードを知るモードフラグの判定に入り、フラグが“２”に設定されているか否かの判定をする（ステップ１０７）。モードフラグ２は、１つ前のモードが同じ在宅モードに設定されているときである。なお、ここでのフラグ判定処理におけるフラグはモードフラグの判定である。
【００３０】
通常は在宅モードから在宅モードの切換えはないので、ここでＮＯとなる。次にフラグが“１”に設定されているか否かの判定に入る（ステップ１０８）。モードフラグ“１”は１つ前のモードが就寝モードに設定されているときである。すなわち、就寝モードから在宅モードへの切換えが行われたときに「フラグ＝１」が成立してＹＥＳとなる。ここで、第２ソフトタイマのカウンタ領域２２ｉのカウントダウンしたカウント値がカウント値＜６０（＝２１時間）あるいはカウント値＞４２０（＝３時間）かの判定をする（ステップ１０９）。このステップ１０９の判定で手動あるいは第２ソフトタイマのカウント終了による切換が前後３時間以上となる異常な切換を排除する。
ステップ１０９でＹＥＳとなると、第２ソフトタイマのカウンタ領域２２ｉを第２ソフトタイマのカウント値をリセットしてカウント値を第２の所定時間、例えば、２３時間−Ｍ3にセットする（ステップ１１０）。なお、時間変数Ｍ3には時間変数Ｍ2の値が一時的に記憶され、時間設定変更がない限りはＭ3＝０である。設定時間変更があればあ２３時間−Ｍ4により昨日と同じ時刻の切換え修正される。すなわち、ここで、２３時間−Ｍ3により設定時間変更の増減分を相殺して元の基準時刻に従う２３時間分のカウント値に戻す時間修正をしている。
【００３１】
次に、時間変数Ｍ2＝０，Ｍ3＝０にして、リセットして第２ソフトタイマの時間カウントを開始する（ステップ１１１）。そして、次のステップ１１２で在宅モードを示すモードフラグとしてフラグ＝２に設定する（ステップ１１２）。このステップ１１２の設定により、自動で一度就寝モードから在宅モードへ切換えられた場合には、手動で就寝モードに戻さない限り、第２ソフトタイマのカウント開始時刻は実質的には変更されない。しかも、ステップ１０９の判定でその時間変更は制限されている。
次に、第１ソフトタイマのカウント値Ｍ1に対してＭ1＝６時間を代入して（ステップ１１３）、時間値変数Ｍ１を６時間に設定する。
そして、在宅モード処理設定として次にＭＰＵ２１が実行するプログラムを在宅監視モードプログラム２２ｂとして、対人センサ１の検出信号を無効にし、ＬＥＤ表示素子５ａを点灯して在宅モード点灯にし（点灯されているときには再点灯）、第１ソフトタイマのカウントスタート後に在宅監視モードプログラム２２ｂをコールする等の在宅モード処理設定をする（ステップ１１４）。
次に、第１ソフトタイマを念のためリセットし、第１ソフトタイマのカウンタ領域２２ｈのカウント値をＭ1＝６時間に設定して（ステップ１１５）、第１ソフトタイマのカウントを開始し（ステップ１１６）、ステップ１１４で設定された在宅監視モードプログラム２２ｂをコールしてＭＰＵ２１に実行させる（ステップ１１７）。
【００３２】
ステップ１０６において、Ｍ2＝０でないときは、在宅モード（ＬＥＤ表示素子５ａ点灯状態）で時間入力があったときである。
モード選択スイッチ５と緊急通報スイッチ６とが同時に３秒以上の間押されたときには、図４の監視時間修正プログラム２２ｆがコールされてＭＰＵ２１により実行される。そして、時間入力処理終了後にステップ１０５の判定から再開する。このときＬＥＤ表示素子５ａが点灯しているので、在宅モードで時間入力に移行したことになる。
先のステップ１０６の判定でＭ2＝０でないときには、ここでＮＯとなり、Ｍ3＝Ｍ2として入力値をＭ3に代入して（ステップ１０７ａ）、第２ソフトタイマのカウンタ領域２２ｉに記憶された第２ソフトタイマのカウント値を入力値Ｍ2分の加算あるいは減算してカウンタ領域２２ｉに記憶し直し、第２ソフトタイマのカウントする時間値を変更してカウントを継続する（ステップ１０８ａ）。そして、変数Ｍ2＝０にしてその値をリセットし（ステップ１０９ａ）、ステップ１１２へと移行して、これ以降の処理に入る。
これにより、第２ソフトタイマのカウント値が一時的に修正されて就寝モードから在宅モードへの切換え時刻の一時的な変更が行われ、その後、先のステップ１１０で第２ソフトタイマのカウント値が昨日と同じ時刻から２３時間分カウントすることに戻される。  
先のステップ１０７の判定でフラグ＝２のときには、ここでＹＥＳとなり、在宅モードから再び在宅モードが選択されたことになる。ここでＹＥＳとなと、以前の在宅モードへの切換えで第２ソフトタイマはすでに起動しているので、ステップ１１４へ移行して、単に、これ在宅モードへの移行の処理が再び繰り返される。
先のステップ１０８の判定でフラグ＝１でないとき、ここでＮＯとなり、切換前が留守モードとなるので、留守モードからの単なる手動切換えとしてステップ１１２へと移行する。このときにも、それ以前の就寝モードから在宅モードへの切換により、第２ソフトタイマはすでに起動しているので、ステップ１１２へと移行する。
【００３３】
ここで、ステップ１０５の判定に戻り、ＬＥＤ表示素子５ｂが点灯してステップ１０５の判定で留守モードと判定されると結合子（１）から図２Ｂの留守モードの結合子（１）に至り、ステップ１０６ａの処理に入る。
ここで、３秒程度待ち、モード切換直後にモード選択スイッチ５と緊急通報スイッチ６とが同時に押された状態にあるか否かの判定に入る（ステップ１０６ａ）。ここで、ＹＥＳとなると、前記したように、留守モードに切換え、その直後にモード選択スイッチ５と緊急通報スイッチ６とが同時に３秒以上の間押された状態である。そこで、監視時間修正プログラム２２ｆがコールされてＭＰＵ２１により実行される。そして、図４の時間入力処理が行われ、時間入力終了後にステップ１０５へと戻り、ＬＥＤ表示素子５ｂが点灯しているので、この判定から再開する。
ステップ１０６ａの判定でＮＯとなると、Ｍ2＝０か否かの判定に入る（ステップ１０７ｂ）。Ｍ2＝０のときには第４ソフトタイマの設定時間の入力はない。そこで、次にフラグが“０”に設定されているか否かの判定に入る（ステップ１０８ｂ）。モードフラグ“０”は、１つ前のモードも留守モードに設定されているときである。ここで、ＹＥＳのときには、留守モードに設定した後また留守モードにしたものとして、ステップ１１０ｂの処理に移る。
ステップ１０８ｂでＮＯのときには、フラグを“０”にリセットして留守モードに設定しして（ステップ１０９ｂ）からステップ１１０ｂの処理に移る。ステップ１１０ｂで留守モードのタイマ監視時間として時間値変数Ｍ1を１８時間に設定して、留守モード処理設定として次にＭＰＵ２１が実行するプログラムを留守監視モードプログラム２２ｃとして、対人センサ１の検出信号を有効にし、ＬＥＤ表示素子５ｂを点灯して留守モードにし（点灯されているときには再点灯）、第１ソフトタイマのカウントスタート後に留守監視モードプログラム２２ｃをコールする等の留守モード処理設定をする（ステップ１１１ｂ）。そして、結合子（４）から図２Ａの結合子（４）に戻り、図２Ａにおいて、ステップ１１５に移り、第１ソフトタイマをリセットし、第１ソフトタイマのカウンタ領域２２ｈにカウント値をＭ1＝１８時間を設定して（ステップ１１５）、第１ソフトタイマのカウントを開始し（ステップ１１６）、ステップ１１０ｂで設定された留守監視モードプログラム２２ｃをコールしてＭＰＵ２１に実行させる（ステップ１１７）。
【００３４】
ステップ１０７ｂの判定でＭ2＝０でないときには、ここでＮＯとなり、留守モードへの切換時間が時間入力がすでに入力されているので、第４ソフトタイマのカウンタ領域２２ｋに第４ソフトタイマのカウント値として入力値Ｍ2を設定して（ステップ１０８ｃ）、時間変数Ｍ2＝０としてリセットし、第４ソフトタイマをセットしてカウントスタートさせ（ステップ１０９ｃ）、開閉センサをすべてＯＦＦに設定するメッセージを定期的、例えば、５分おきに発生する処理をして（ステップ１１０ｃ）、結合子（３）から図２Ａの結合子（３）に至り、ステップ１１４でＬＥＤ表示素子５ａが点灯して在宅モード処理のステップ１１２へと戻り、ステップ１１４で在宅モードの設定に戻し、在宅モードの処理に入る。第４ソフトタイマの時間カウントが終了したときにはタイマ監視・モード切換プログラム２２ｅがコールされてＭＰＵ２１に実行され、留守モードに切り替わる。
このように、留守モードの自動切換えを行う場合には、一旦留守モードへ切換え、同時監視時間修正プログラム２２ｆをＭＰＵ２１が実行してに時間入力により監視時間修正を行うことで実行される。
なお、留守監視モードプログラム２２ｃは、ＭＰＵ２１に実行された時点では、通常、人が玄関から外へと出るまでの時間を確保しなければならないので、切換えと同時にする留守モードでの時間入力処理の時間は十分に確保できる。
【００３５】
ここで、図２Ａのステップ１０５の判定に戻る。ここで、ステップ１０５の判定でＬＥＤ表示素子５ｃが点灯して就寝モードと判定されると、結合子（２）から就寝モードの図２Ａの結合子（２）に至り、３秒程度待ち、モード切換直後にモード選択スイッチ５と緊急通報スイッチ６とが同時に押された状態にあるか否かの判定に入る（ステップ１０６ｂ）。ここで、ＹＥＳとなると、前記したように、図３の監視時間修正プログラム２２ｆがコールされてＭＰＵ２１により実行される、時間入力終了後にステップ１０５の判定から再開する。
ステップ１０６ｂでＮＯとなると、就寝モードではＭ2＝０か否かの判定に入る（ステップ１０７ｄ）。Ｍ2＝０のときには就寝モードに戻す切換時間についてのソフトタイマの設定時間の一時的な変更はない。そこで、次にフラグが“１”に設定されているか否かの判定に入る（ステップ１０８ｄ）。モードフラグ“１”は、１つ前のモードも就寝モードに設定されているときである。ここで、ＹＥＳのときには、ステップ１１４ｄの処理に移る。
ここでＮＯとなると、次にフラグが“２”に設定されているか否かの判定に入る（ステップ１０９ｄ）。フラグ＝２のときは１つ前のモードが在宅モードに設定されているときである。ここで、ＹＥＳときには、在宅モードから就寝モードへの切換えが行われたことになる。
ステップ１０９ｄでＹＥＳとなると、第３ソフトタイマのカウンタ領域２２ｊのカウント値がカウント値＜６０（＝２１時間）あるいはカウント値＞４２０（＝６時間）かの判定をする（ステップ１１０ｄ）。このステップ１１０ｄの判定で手動あるいは第３ソフトタイマのカウント終了による切換が前後３時間以上となる異常な切換を排除する。
【００３６】
ステップ１１０ｄでＹＥＳとなると、第３ソフトタイマのカウンタ領域２２ｊをカウント値をリセットしてカウント値を第３の所定時間、例えば、２４時間−Ｍ4にセットする（ステップ１１１ｄ）。なお、時間変数Ｍ4＝Ｍ2であり、設定時間変更がなければＭ4＝０である。設定時間変更があればあ２４時間−Ｍ4により昨日と同じ時刻の切換え修正される。
次に、時間変数Ｍ2＝０，Ｍ3＝０にリセットして第３ソフトタイマの時間カウントを開始する（ステップ１１２ｄ）。そして、フラグ＝１にして就寝モードに設定し（ステップ１１３ｄ）、第１ソフトタイマのカウント値Ｍ1を就寝モードの監視時間Ｍ1＝１０時間に設定して（ステップ１１４ｄ）、ＬＥＤ表示素子５ｃを点灯して就寝モード点灯にし（点灯されているときには再点灯）、第１ソフトタイマのカウントスタート後に就寝監視モードプログラム２２ｄをコールする等の就寝モード処理設定をする（ステップ１１５ｄ）、結合子（４）から図２Ａの結合子（４）に至り、ステップ１１５に移り、第１ソフトタイマをリセットし、第１ソフトタイマのカウンタ領域２２ｈにカウント値をＭ1に設定して（ステップ１１５）、第１ソフトタイマのカウントを開始し（ステップ１１６）、ステップ１１３ｄで設定された就寝監視モードプログラム２２ｄをコールしてＭＰＵ２１に実行させる（ステップ１１７）。
先のステップ１０７ｄの判定でＭ2＝０でないときには、在宅モードから一時的に就寝モードに切換えて時間入力があったときである。寝ているときにはこのような切換えはない。そこで、ここでＮＯとなり、Ｍ4＝Ｍ2として入力値をＭ4に代入して（ステップ１０８ｅ）、第３ソフトタイマのカウンタ領域２２ｉに記憶された第３ソフトタイマのカウント値を入力値Ｍ2分の加算あるいは減算してカウンタ領域２２ｊに記憶し直し、カウントする時間値を変更しカウントを継続する（ステップ１０９ｅ）。そして、変数Ｍ2＝０にしてその値をリセットし（ステップ１１０ｅ）、ステップ１１２へと移行して、これ移行の処理に入る。これにより、第３ソフトタイマのカウント値が一時的に修正され、在宅モードから就寝モードへの切換時間が早くあるいは遅くなるように修正される。
【００３７】
これにより、第１ソフトタイマは、在宅モードではＭ1＝６時間により６時間タイマとなり、留守モードではＭ1＝１８時間により１８時間のタイマとなり、就寝モードではＭ1＝１０時間により１０時間のタイマとなる。
なお、留守モードの１８時間のタイマと就寝モードの１０時間のタイマが有効となるのは、手動あるいは対人センサ１の検出信号によるモード切換えを行うときである。また、これら時間は、パラメータ領域２２ｎに記憶され、仕様変更スイッチ１８により更新することで時間変更が可能である。
そこで、自動的な切換えではなく、メッセージ喚起による手動切換えあるいは対人センサ１による検出切換では、就寝モードに切換えられてから１０時間経過した後に、すなわち寝てから１０時間経過の朝に起きないときには通報処理がなされる。
１０時間以内に起床がなされれば、在宅モードへの切換が行われるので、第１ソフトタイマがその選択されたモードで新しいカウント時間が設定されるので、第１ソフトタイマのカウント値の終了がなくなり、そこれにより前のモードでの第１ソフトタイマのカウント動作が解除される。
就寝モードから在宅モードへの切換を手動あるいは対人センサによる検出切換ではなく自動切換にした場合には、就寝モードでの第１ソフトタイマの時間は、１０時間より短く自動切換の手前までの時間とすることも可能である。また、仕様変更でＭ1＝０のリセット状態に設定して就寝モードでの第１ソフトタイマのタイマ設定を解除するようにしてもよい。
【００３８】
以上により、
ａ．在宅モードでは、時間監視通報として第１ソフトタイマが６時間にセットされ、対人センサの検出信号が発生する都度、前記時間をリセットし、リセットされずに６時間経過するか、６時間経過以前に他のモードに切換えられないときに通報処理プログラム２２ｇがコールされる。なお、この６時間についてのリセット処理は、図３のタイマ監視・モード切換プログラム２２ｅの処理において説明する。
このリセット処理により、人が活動している状態にあるか否かを検出して所定時間、６時間の間対人センサ１により人が検出されなかったときに、例えば、人が朝から寝込むような異常状態のときに通報する処理をすることができる。
ｂ．留守モードが選択されているときには時間監視通報として第１ソフトタイマが１８時間にセットされ、１８時間経過する以前に他のモードにモード切換がなされないときに通報処理プログラム２２ｇをコールして登録されている人に電話をかけて通報する。
ｃ．就寝モードが選択されているときには時間監視通報として第１ソフトタイマにセットされた１０時間経過する以前に他のモードへの切換処理がなされないときに通報処理プログラム２２ｇをコールして登録されている人に電話をかけて通報する。
【００３９】
留守モードでの１８時間以上の外出は、ペットが居るのに留守をする限界時間と思われるので留守モードでの第１ソフトタイマの設定を１８時間としている。また、人が家を出てから帰宅するまでの間も１８時間程度であり、それ以上の外出が長すぎると思われるので、その限界として前記では１８時間としている。
また、人が眠てから起きるまでは長くて１０時間程度であるので、就寝モードでの第１ソフトタイマの設定を１０時間としている。しかし、これらの時間が生活状況に応じて適宜決定すればよい。
それぞれの監視時間は、人の生活習慣はそれぞれに異なるので、この警報システムを使用する家庭生活や生活習慣に応じてパラメータ領域２２ｎにそれぞれの時間を設定することが好ましい。なお、長期外出の場合は、監視設定スイッチ９を“ＯＦＦ”することで、この警報システムのモード対応タイマ設定プログラム２２ａのＭＰＵ２１による実行を阻止することができる。
【００４０】
次にタイマ監視によるモード切換えと検出信号による通報処理について説明する。
タイマ監視スイッチ９がＯＮにされているときに、各種のセンサの検出、ソフトタイマのカウント終了割込みにより、図３のタイマ監視・モード切換プログラム２２ｅがＭＰＵ２１により実行される。これにより、在宅モードから就寝モードに切換えられてから２４時間経過した後には、第３ソフトタイマのカウント終了により就寝モードへの切換が行われる。逆に就寝モードから在宅モードに切換えられてから２３時間〜２４時間後には、第２ソフトタイマのカウント終了により在宅モードへの切換が行われる。
図３は、そのタイマ監視・モード切換プログラム２２ｅのフローチャートである。
タイマ監視・モード切換プログラム２２ｅは、対タイマ監視スイッチ９がＯＮにされているときに人センサ１の検出信号割込み、そして第１〜第３ソフトタイマのいずれかのカウント終了信号による割込み処理のそれぞれにスタートする。
最初に、まず、第１ソフトタイマのカウント終了か否かが判定され（ステップ２０１）、ここでＹＥＳとなると、選択された設定モードに関係なく、通報処理プログラム２２ｇがコールされて通報処理がなされる（ステップ２１１）。また、単独に緊急通報スイッチ６がＯＮされたときにも、通報処理プログラム２２ｇがコールされて通報処理がなされる（ステップ２１１）。これ以外に、留守監視モードプログラム２２ｃ、就寝監視モードプログラム２２ｄがそれぞれ実行されたときに玄関ドア、窓等のドア開検出センサ２ａ，２ｂ，２ｃ…からの検出信号があったときに通報処理プログラム２２ｇがコールされて通報処理がなされる（ステップ２１１）。
ステップ２０１の判定でＮＯのときには、ＬＥＤ表示素子５ａが点灯しているか否かにより在宅モードかの判定がなされ（ステップ２０２）、ここで、ＹＥＳとなり、在宅モードのときには、第３ソフトタイマのカウント終了か否かが判定され（ステップ２０３）、ＮＯのときには、第４ソフトタイマのカウント終了か否かが判定され（ステップ２０４）、ＮＯのときには、対人センサ１の検出信号割込みかが判定される（ステップ２０５）。ここで、ＹＥＳのときには、第１ソフトタイマのカウント値をリセットする（ステップ２０６）。そして処理を終了する。
ステップ２０５でＮＯのときにもここでの処理を終了する。
なお、この実施例では、第２のソフトタイマについてはカウント終了後に対人センサ１の検出信号に応じて就寝モードから在宅モードへのモード切換えを行うものである。そこで、第２のソフトタイマの終了判定のステップがここで抜かされ、ステップ２０６ａに移つている。
【００４１】
ステップ２０３でＹＥＳのときには、第３ソフトタイマのカウントが終了したので、ステップ２０９へと移り、就寝モードへの切換メッセージを出力して、在宅モードから就寝モードへの切換処理をする（ステップ２１０）。このステップ２１０の就寝モードへの切換処理として戸締まりメッセージの出力をし、３分間のカウントをしてこの３分間に時間入力処理があるか否かを監視し、時間入力がないときには３分間経過後に図２Ｂの結合子（２）を経て就寝モードの処理ステップ１０６ｂに入る。
メッセージを出力後に手動切換した場合には図２Ａのステップ１０１から入り、就寝モードが選択されて就寝モードのＬＥＤ表示素子５ｃが点灯されてステップ１０６ｂで手動切換の場合のモード切換直後の時間入力を判定し、ステップ１０７ｄ以降の処理に入り、ステップ１１３ｄで就寝モードのモードフラグ“１”に設定して、就寝モードに入る。
前記の３分間のうちに時間入力処理があるときには、図２Ａのステップ１０５から入るので就寝モードのＬＥＤ表示素子５ｃを点灯して就寝モードでの時間入力に移る。
ステップ２０４でＹＥＳのときには、第４ソフトタイマのカウントが終了したので、ステップ２０７へと移り、留守モードへの切換メッセージを出力して、留守モードへの切換処理をする（ステップ２０８）。このステップ２０８の留守モードへの切換処理として戸締まりメッセージの出力をし、３分間のカウントをしてこの３分間に時間入力処理があるか否かを監視し、時間入力がないときには３分間経過後に図２Ｂの結合子（１）を経て留守モードの処理ステップ１０６ａに入る。
メッセージを出力後に手動切換した場合には留守モードが選択されて留守モードのＬＥＤ表示素子５ｂが点灯されて前記と同様にステップ１０１からステップ１０６ａに至りモード切換直後の時間入力を判定し、ステップ１０７ｂ以降の処理に入り、ステップ１０９ｂで留守モードのモードフラグ“０”に設定して、留守モードに入る。
前記の３分間のうちに時間入力処理があるときには、図２Ａのステップ１０５から入るので留守モードのＬＥＤ表示素子５ｂを点灯して留守モードでの時間入力に移ることになる。
【００４２】
ところで、先に説明したように、カウントダウンが終了したか否かは、カウント値が１か、それ以下になったことで行われる。ステップ２０８とステップ２１０と切換処理の３分は、切換メッセージを出力してからのこの３分である。この３分間にモード選択スイッチ５と緊急通報スイッチ６とが同時に３秒以上押されると入力時間となり変数値Ｍ2に設定される。ここで時間入力があると、図２Ａのステップ１０５へと移行する。
このときには、ステップ２０８では、時間入力を選択したときには、ＬＥＤ表示素子５ｂが点灯しているので、ステップ１０５から図２Ｂの結合子（１）を経てステップ１０７ｂからステップ１０８ｃへと至り、第４ソフトタイマに時間Ｍ2（あるいはＭ2−３分）がセットされてカウントを開始して図２Ａの結合子（３）を経て在宅モードへ戻される。これにより留守モードへの切換時間をさらに後に延ばすことができる。なお、このときの時間入力は＋側のみ有効にする。
また、ステップ２１０では、時間入力を選択したときには、ＬＥＤ表示素子５ｃが点灯しているので、ステップ１０５から図２Ｂの結合子（２）を経て就寝モードの処理ステップ１０７ｄからステップ１０８ｄへと至り、第３ソフトタイマに時間Ｍ2（あるいはＭ2−３分）がセットされてカウントを開始して図２Ａの結合子（３）を経て在宅モードへ戻す。これにより就寝モードへの切換時間をさらに後に延ばすことができる。なお、このときの時間入力は＋側のみ有効にする。
ステップ２０２でＮＯのときには、ステップ２０２ａに移り、ＬＥＤ表示素子５ｃが点灯しているか否かにより就寝モードが否かの判定をする。ここで、ＹＥＳとなると、対人センサ１の検出信号割込みかが判定される（ステップ２０３ａ）。ここで、ＮＯとなると、この処理を終了する。ただし、玄関ドア、窓等のドア開検出センサ２ａ，２ｂ，２ｃ…等の検出信号のときには、点線で示すように、通報処理２１１へと移る。
ステップ２０２ａでＮＯとなると、留守モードとなるので、ステップ２０４ａへと移り、対人センサ１の検出信号割込みかが判定される（ステップ２０４ａ）、ここでＹＥＳとなると、ペットスイッチ８がＯＮにされているかが判定され（ステップ２０５ａ）、ここで、ＮＯとなると、通報処理プログラム２２ｇがコールされて通報処理がなされる（ステップ２１１）。
ステップ２０４ａの判定で、ＮＯとなると、ここでの処理を終了する。ただし、玄関ドア、窓等のドア開検出センサ２ａ，２ｂ，２ｃ…等の検出信号のときには、点線で示すように、通報処理２１１へと移る。
また、ステップ２０５ａの判定で、ＹＥＳとなると、ここでの処理を終了する。
【００４３】
前記のステップ２０３ａで対人センサ１の検出信号を受けて、ここでＹＥＳとなると、第２ソフトタイマのカウント終了か否かが判定され（ステップ２０６ａ）、ここでＹＥＳとなると、在宅モードへの切換メッセージを出力して（ステップ２０７ａ）、ペットスイッチ８がＯＮにされているかが判定され（ステップ２０８ａ）、ここでＹＥＳとなると、ステップ２０３ａに戻る。ここでＯＮとなると、ペットが飼われていないので、在宅モードへの切換処理が行われる（ステップ２０９ａ）。このステップ２０９ａの在宅モードへの切換処理として３分間をカウントし３分間経過後に図２Ａのステップ１０６へと戻る。
ここでの３分間にもしステップ２０８あるいはステップ２１０と同様な処理として時間入力を監視する処理をするときには、時間入力後に図２Ａのステップ１０５から入ることになるので在宅モードのＬＥＤ表示素子５ａを点灯して在宅モードにしてから時間入力に移ることになる。そして、図２Ａのステップ１０５からステップ１０６，１０７ａを経て、ステップ１０８ａで第２ソフトタイマに時間Ｍ2（あるいはＭ2−３分）をセットしてカウントを開始し、図２Ａのステップ１０９ａでＭ2＝０にセットされた後に点線で示すように図２Ｂの結合子（２）を経て就寝モードへ戻る処理に戻すことになる。ここで、就寝モードのステップ１０６ｂを経てステップ１０７ｄでＹＥＳとなり、ステップ１０８ｄでＹＥＳとなって、ステップ１１４ｄへと至り、就寝モードの処理となる。これにより時間Ｍ2（あるいはＭ2−３分）後に第２ソフトカウンタのカウントが終了して就寝モードから在宅モードへと戻される。
以上は、対人センサ１の検出信号に応じて就寝モードから在宅モードへのモード切換えを行うものであるが、逆に、在宅モードから就寝モードへ対人センサ１の検出信号に応じてモード切換えを行うようにするには、第２ソフトタイマの終了判定と第３のソフトタイマの終了判定とのステップ処理を入れ換えればよい。
両者を行うには、第３のソフトタイマの終了判定の処理を削除して、第２ソフトタイマの終了判定の次に第３のソフトタイマの終了判定をするようにすればよい。
なお、次に説明するように、ペットと人とを切り分けて、人のみを検出する場合には、ステップ２０８ａとこれ以降の処理は不要である。
【００４４】
ペットを飼っているときには対人センサ１の検出信号だけでモード切換を自動的に行うことができないので、対人センサ１の検出信号に応じて音声「在宅にしてください？」等の音声を発生した後に家人の手操作で在宅モードに切換えるようにすることになる。これによりペット検出の問題が解消され、朝起きたときに在宅モードへの切換へを忘れることがない。
対人センサ１が、例えば、広い範囲に感度を持つ反射型の赤外線センサ（焦電センサ）である場合には、赤外線センサ（焦電センサ）の検出信号の発生間隔は、人とペットとで区分けができる。
たとえば、センサに歩いて近づくときには、人では３秒間に対人センサ１の検出信号が多数連続的に発生するがペットの動きでは、１回か、数回程度に留まる。そこで、３秒間間に何回以上検出信号が発生したかでペットか人かを区分けすることが可能になる。それにより対人センサ１の検出信号の有効，無効の判断が可能になる。
さらに、焦電センサの前面にあるフレネルレンズの下側をマスクして反射光の量を調整するようにすれば、夜間や早朝のペットの床移動に対してはほとんど反応しないようにすることができる。もちろん、フレネルレンズによりセンサ範囲を水平方向に幅を持たせた指向性を持たせてもよい。このような場合には在宅モードへの自動切換えを行うことができるようになる。
【００４５】
次に時間入力処理について説明する。
第２〜第４ソフトタイマの値については、入力時間値Ｍ2（＝Ｍ3）で修正することができる。これにより一時的に変更してもその後は同じ時刻に就寝モードに設定され、あるいは在宅モードに切換ができる。
その監視時間修正は、タイマ監視スイッチ９がＯＮにされているときに、選択されたモードに関係なく、在宅監視モードプログラム２２ｂ、留守監視モードプログラム２２ｃ、就寝監視モードプログラム２２ｄが実行されているとき、そして、前記した時間入力待ちの各処理ステップにおいて、図４のフローチャートに示す監視時間修正プログラム２２ｆがコールされてＭＰＵ２１により実行される。
ＭＰＵ２１は、緊急通報スイッチ６あるいは緊急通報スイッチ６が同時に押されたときに、監視時間修正プログラム２２ｆを実行して、モード選択スイッチ５と緊急通報スイッチ６とが同時に、一定期間、例えば、３秒間押されたか否かを判定する（ステップ３０１）。ここで、ＮＯとなると処理を終了する。ＹＥＳとなると、押下回数の初期値Ｐ，Ｑをリセットし、「時間入力です」のメッセージを出力する（ステップ３０２）。そして、入力待ちに入り、モード選択スイッチ５が押されたか否かを判定し（ステップ３０３）、ＹＥＳのときにはＰ＝Ｐ＋１として（ステップ３０４）、入力終了か否かをモード選択スイッチ５と緊急通報スイッチ６とが同時に押されたか否かにより判定して（ステップ３０５）、ＮＯのときにはステップ３０３へと戻り、モード選択スイッチ５の押された回数を変数Ｐによりカウントする。また、ステップ３０３でＮＯのときには、緊急通報スイッチ６が押されたか否かを判定し（ステップ３０７）、ＹＥＳのときにはＱ＝Ｑ＋１として緊急通報スイッチ６の押下回数を変数Ｑによりカウントする（ステップ３０８）。そして、ステップ３０５へと戻り、入力終了か否かをモード選択スイッチ５と緊急通報スイッチ６とが同時に押されたか否かにより判定して、ステップ３０５でＮＯとなると、同様な処理を繰り返す。なお、ステップ３０７でＮＯとなったときにもステップ３０５へと戻る。
ステップ３０５でＹＥＳとなると、（Ｐ−Ｑ）×１５分としてで入力時間の演算をして時間値をＭ2に演算値を代入する（ステップ３０６）。そして、図２Ａの処理フローのステップ１０５へと移行して現在設定されているモードに入る。
【００４６】
ところで、ペットスイッチ８のＯＮ／ＯＦＦも監視設定スイッチ９のＯＮ／ＯＦＦもパラメータ領域２２ｎにそれぞれ“１”，“０”のフラグを立てれば、これらスイッチを独立のそれぞれ設ける必要はない。
また、モード切換で、あるモードに設定されたときから第１〜第３ソフトカウンタをリセットしてそれぞれにスタートするようにすれば時間監視の処理プログラムの処理が簡単で済む。
【産業上の利用可能性】
【００４７】
以上説明してきたが、実施例での所定の時間カウント値は、切換えのためと時間入力のために手前に３分の時間を採っているが、この手前３分の、５分前であってよく、自由に時間選択できるものである。また、時間入力等を考慮する必要がなければ、この手前の時間を採ることなく、カウント終了を“０”分にして切換動作をしてもよいことはもちろんである。したがって、ここでのタイマの所定時間のカウント時間は、必ずしも設定された時間すべてのカウント終了を意味しない。
実施例では、第１〜３のそれぞれの監視時間を監視するために、それぞれにタイマを設けているが、２４時間の１個のタイマを設けて、それぞれの監視時間に対して２４時間タイマの時間あるいは時刻を参照して監視時間が経過したか否かを判定してもよい。したがって、タイマは１個であってもよい。
また、時間カウントは、設定値のダウンカウントに限らず、設定値までアップカウントをしてもよい。
実施例では、モード対応タイマ設定プログラムを設けて自動通報の各時間監視を行っているが、自動通報の各時間監視は、在宅監視モードプログラム２２ｂで第１の所定時間を監視し、留守監視モードプログラム２２ｃの第２の所定時間を監視し、就寝監視モードプログラム２２ｅで第３の所定時間を監視するようにして、それぞれの各プログラム処理において行われてもよい。
また、実施例では、時間監視は、メモリ領域を使用したソフトタイマを利用しているが、通常のカウンタ回路やタイマ回路を用いてもよいことはもちろんである。なお、特許請求の範囲における時間カウントは、これらいずれの回路のものであってもよい。
また、実施例では、対人センサを１個配置しているが、多くの対人センサを多数のエリアにそれぞれ設けて、それらを並列接続してもよい。
さらに、対人センサとしては赤外線センサに限らず、マイクで人が歩く音を検出して人がいることを検出する音響センサが用いられてもよい。さらには、感温センサ等で人の体温を検出するようなものであってもよい。また、光源と光センサを向かい合わせた遮光形光センサや電波、超音波を用いて人からの反射波を受光する反射形センサなどであってもよい。
【図面の簡単な説明】
【００４８】
【図１】図１は、この発明の警報システムを適用した一実施例のモード切換自動通報システムを有する警報システムのブロック図である。
【図２Ａ】図２Ａは、監視タイマ設定処理の全体的な処理のフローチャートである。
【図２Ｂ】図２Ｂは、監視タイマ設定処理の留守モードと就寝モードのフローチャートである。
【図３】図３は、通報処理のフローチャートである。
【図４】図４は、時間修正値入力処理のフローチャートである。
【符号の説明】
【００４９】
１…対人センサ、
２…ドア、窓等のドア開検出センサ等からのセンサ信号入力端子、
３…玄関ドア開検出センサ等からのセンサ信号入力端子、
４…ホトカップラ、５…モード選択スイッチ、
５ａ…在宅モード選択のＬＥＤ表示素子、
５ｂ…留守モード選択のＬＥＤ表示素子、
５ｃ…就寝モード選択のＬＥＤ表示素子、
６…緊急通報スイッチ、７ａ…マイクロホン、７ｂ…スピーカ、
８…ペットスイッチ（焦電センサ無効スイッチ）、
９…監視設定スイッチ、
１０…警報システム、である。
１１…電話装置、１１ａ…ブリッジ回路、
１１ｂ…ダイヤラ／送・受話回路、１１ｃ…着信信号検出回路、
１０…外部メモリ、１３…Ｄ／Ａ変換回路（Ｄ／Ａ）、
１４…切換回路、１５…インタフェース、
２０…プロセッサ、２１…ＭＰＵ、
２２…メモリ、２３さんて入出力ステータスレジスタ、
２２ａ…モード対応タイマ設定プログラム、
２２ｂ…在宅監視モードプログラム、
２２ｃ…留守監視モードプログラム、
２２ｄ…就寝監視モードプログラム、
２２ｅ…タイマ監視・モード切換プログラム、
２２ｆ…監視時間修正プログラム、
２２ｇ…通報処理プログラム、
２２ｈ…第１ソフトタイマのカウンタ領域、
２２ｉ…第２ソフトタイマのカウンタ領域、
２２ｍ…パラメータ領域、２２ｍ…監視時間記憶領域、
２２ｍ…ダイアルデータ領域。
【図１】
2008250372.tif 000003
【図２Ａ】
2008250372.tif 000004
【図２Ｂ】
2008250372.tif 000005
【図３】
2008250372.tif 000006
【図４】
2008250372.tif 000007